(57)【要約】【課題】物品への取付作業が容易なサイズ調節が可能な梱包材を提供する。【解決手段】第１の包装体１０の一部を第２の包装体１１の上に重ね合わせ、スリット１２とボルト１３でスライド動作可能に連結させる構成とした。さらに、スリット１２には逃がし孔１４を形成した。逃がし孔１４にボルト１３を進入させることで、ボルト１３がスリット１２に引っ掛かることなく側壁部１０b、側壁部１１bを外側に倒し、梱包材をフラットに展開できるようにした。【選択図】図１
0003182405.tif 000002
【実用新案登録請求の範囲】
【請求項１】
矩形状の底面部及び該底面部の対向する両辺から折り曲げ可能に立設された一対の側壁部を備えた第１の包装体と、
該第１の包装体の一部が上に重ね合わせられた包装体であって、矩形状の底面部及び該底面部の対向する両辺から折り曲げ可能に立設された一対の側壁部を備えた第２の包装体と、
前記第１の包装体の各側壁部に、前記底面に沿って形成されたスリットと、
前記第２の包装体の側壁部に固定され前記スリットにスライド可能に挿入された、前記第１の包装体と前記第２の包装体を連結する連結部材と、
前記スリットに形成された底面と逆の方向に突出する、前記連結部材が進入可能な逃がし孔と、
を備えることを特徴とする梱包材。
【請求項２】
矩形状の底面部及び該底面部の対向する両辺から折り曲げ可能に立設された一対の側壁部を備えた第１の包装体と、
該第１の包装体の一部が上に重ね合わせられた包装体であって、矩形状の底面部及び該底面部の対向する両辺から折り曲げ可能に立設された一対の側壁部を備えた第２の包装体と、
前記第２の包装体の各側壁部に、前記底面に沿って形成されたスリットと、
前記第２の包装体の側壁部に固定され前記スリットにスライド可能に挿入された、前記第１の包装体と前記第２の包装体を連結する連結部材と、
前記スリットに形成された底面方向に突出する、前記連結部材が進入可能な逃がし孔と、
を備えることを特徴とする梱包材。
【考案の詳細な説明】
【技術分野】
【０００１】
本考案は、物品の運搬の際に該物品を梱包する梱包材に係り、特にサイズ調整が可能な梱包材に関する。
【背景技術】
【０００２】
冷蔵庫や流し台のような大型の物品を住宅等の建物に搬入、或いは搬出する際に、建物の床や壁に物品がぶつかったり擦れたりすると、物品、或いは建物の床や壁が傷ついたり汚れたりする。このため、通常は、梱包材で物品を梱包して搬送するようにしている。
【０００３】
例えば特許文献１には、冷蔵庫や流し台の上面及び下面に被せられる一対の浅箱状の梱包材が記載されている。冷蔵庫に被せられた梱包材は、バンドや紐などにより固定され、これにより、冷蔵庫の上下面やかどの部分が保護される。
【０００４】
また、特許文献２には、様々な大きさの物品に対応可能な梱包材が記載されている。この梱包材は２つの分割梱包材を互いにスライド可能に嵌合したもので、両者をスライドさせることにより梱包材全体の長さを調節することができる。
【先行技術文献】
【特許文献】
【０００５】
【特許文献１】特開2001-341790号公報
【特許文献２】特開2005-132446号公報
【考案の概要】
【考案が解決しようとする課題】
【０００６】
サイズ調節可能な梱包材は、不使用時に２つの分割梱包材に分離することによりコンパクトに保管することができる反面、物品に取り付ける際に分割梱包材を嵌合させたり、分割梱包材がバラバラにならないように注意してバンドや紐で物品に固定しなければならず、手間がかかる。
【０００７】
本考案は上記課題を解決するために成されたものであり、その目的とするところは、物品への取付作業が容易でサイズ調節が可能な梱包材を提供することにある。
【課題を解決するための手段】
【０００８】
上記課題を解決するために成された本考案に係る梱包材は、
矩形状の底面部及び該底面部の対向する両辺から折り曲げ可能に立設された一対の側壁部を備えた第１の包装体と、
該第１の包装体の一部が上に重ね合わせられた包装体であって、矩形状の底面部及び該底面部の対向する両辺から折り曲げ可能に立設された一対の側壁部を備えた第２の包装体と、
前記第１の包装体の各側壁部に、前記底面に沿って形成されたスリットと、
前記第２の包装体の側壁部に固定され前記スリットにスライド可能に挿入された、前記第１の包装体と前記第２の包装体を連結する連結部材と、
前記スリットに形成された底面と逆の方向に突出する、前記連結部材が進入可能な逃がし孔と、
を備えることを特徴とする。
【０００９】
上記構成の梱包材では、第１と第２の包装体が連結部材で連結されているので、両包装体がバラバラになってしまうことがない。さらに、連結部材がスリットに沿って移動することで、スリットの長さの範囲内において、梱包材のサイズを変えることができる。
【００１０】
第１包装体と第２包装体を連結するためには、下にある第２の包装体の両側壁部に固定された連結部材間の距離を、上にある第１の包装体の両側壁部に形成されたスリット間の距離よりも、第１の包装体の厚さの２倍だけ長くしなければならない。しかしそうすると、第１と第２の包装体の側壁部を外側に倒して梱包材を展開しようとしても、スリット内に連結部材が位置している状態では、両者を重ね合わせて（すなわち梱包材をフラットにして）展開することができない。そこで、本考案に係る梱包材では、連結部材を逃がし孔に進入させることで、その距離のズレを吸収するようにし、両者を重ね合わせて展開することができるようにした。
【００１１】
また、本考案に係る梱包材においては、スリットを、第１の包装体ではなく、第２の包装体の各側壁部に形成しても良い。その場合、連結部材を第１の包装体の側壁部に固定し、逃がし孔はスリットの底面方向に突出するよう形成する。
【考案の効果】
【００１２】
本考案に係る梱包材は、連結部材をスリットにスライド可能に挿入させたことによりサイズ調整が可能となっている。また、物品を梱包する際に、第１と第２の包装体がバラバラになることもないため、物品への取り付け作業が容易である。さらに、第１と第２の包装体が連結された状態のまま、梱包材をフラットに展開することができるため、輸送や保管等の際に嵩張らない。
【図面の簡単な説明】
【００１３】
【図１】本考案の梱包材を示す図面。(a)はサイズを大きめに調整した状態、(b)はサイズを小さめに調整した状態を示す。
【図２】本考案の梱包材を、梱包対象である流し台の大きさに合わせてサイズ調整した状態を示す図面。(a)は比較的大きな流し台を、(b)は比較的小さな流し台を、それぞれ梱包する場合を示す。
【図３】本考案の梱包材を流し台に被せて紐で固定する際の状態を示す図面。(a)は比較的大きな流し台を、(b)は比較的小さな流し台を、それぞれ梱包する場合を示す。
【図４】第１と第２の包装体の連結部分の断面を示す図面。(a)は側壁部が立設した状態を、(b)は側壁部を倒した状態を示す。
【図５】本考案の梱包材をフラットに展開した状態を示す図面。
【図６】本考案の別の態様の梱包材を示す図面。
【考案を実施するための形態】
【００１４】
本考案の一実施例に係る梱包材について、図面を参照しつつ説明する。
【００１５】
本実施例に係る梱包材１の形状を図１(a)に示す。梱包材１は共に半浅箱状の第１の包装体１０と第２の包装体１１から成り、第１の包装体１０の開放端を第２の包装体１１の開放端上に重ね合わせた構成を有している。第１の包装体１０は、底面部１０a、底面部１０aの対向する両辺から折り曲げ可能に立設された側壁部１０b、及び底面部１０aの一辺から折り曲げ可能に立設され、側壁部１０bに挟まれた側壁底部１０cを含む。第２の包装体１１も同様に、底面部１１a、底面部１１aの対向する両辺から折り曲げ可能に立設された側壁部１１b、及び底面部１１aの一辺から折り曲げ可能に立設され、側壁部１１bに挟まれた側壁底部１１cを含む。
【００１６】
第１の包装体１０の側壁部１０bには、底面に沿ってスリット１２がそれぞれ形成されている。スリット１２の内側（図１(a)でいう左方向）には、底面と逆の方向に突出した逃がし孔１４が形成されている。底面部１０aにも同様にスリットが形成されているが、このスリットには逃がし孔はない。
【００１７】
第２の包装体１１の側壁部１１bには、面ファスナーの一方の面部材を備えた延出部１１dが側壁底部１１c側に向けて延出して設けられ、側壁底部１１cに面で接触するよう折り曲げられている。側壁底部１１cの接触面には面ファスナーの他方の面部材が備えられており、延出部１１dが側壁底部１１cに脱着可能に固定される。ここでは、延出部１１dを側壁部１１bに設けているが、側壁底部１１cに設けるようにしても良い。なお、図１(a)では隠れていて見えないが、第１の包装体１０においても同様に、側壁部１０bに延出部１０dが設けられ、面ファスナーにより延出部１０dが側壁底部１０cに固定される。
【００１８】
梱包材１では、ボルト１３が第２の包装体１１の側壁部１１bに固定されるとともに、第１の包装体の側壁部１０bに形成されたスリット１２に挿入されることで、第１の包装体１０と第２の包装体１１を連結している。第１の包装体の底面部１０aに形成されたスリットにも同様に、第２の包装体の底面部１１bに固定されたボルトが挿入されている。
【００１９】
このようにして連結された第１の包装体と第２の包装体を備えた梱包材１は、ボルト１３がスリット１２に沿って移動することでスライドさせることができる。なお、スライドの際は、第２の包装体の底面部１１bに固定されたボルトも、第１の包装体の底面部１０aに形成されたスリットに沿って移動する。図１(a)は、ボルト１３をスリット１２の外側（図１(a)でいう右方向）まで移動させた状態であり、図１(b)は、ボルト１３をスリット１２の内側まで移動させた状態である。スリット１２におけるボルト１３の位置を変えることで、スリット１２の長さの範囲内において梱包材１のサイズを調整できるため、大きさの異なる物品の梱包が可能となる。
【００２０】
ここでは、物品として「流し台」を例とし、梱包する際の手順を説明する。まずは、流し台の両側を保護するために、梱包材１を２つ用意する。比較的大きな流し台２０aを梱包するには、梱包材１のサイズも大きめに（図２(a)）、比較的小さな流し台２０bを梱包するには、梱包材１のサイズも小さめに（図２(b)）、それぞれサイズ調整する。次に、図３に示すように、流し台２０a（図３(a)）、或いは流し台２０b（図３(b)）の両側に梱包材１を被せ、紐２１を締結して固定する。
【００２１】
このようにして、物品の側面やかどの部分を保護するように梱包する。なお、梱包材を物品に固定する際には、紐の他に、プラスチックバンドや粘着テープなどを用いてもかまわない。
【００２２】
梱包した物品はその状態で運搬し、運搬作業等が終わると、紐を緩め、梱包材を物品から取り外す。そうして使用済みとなった梱包材は、輸送や保管の際に嵩張らないようにしておく。上述のとおり、第１の包装体１０の側壁部１０b、側壁底部１０c、及び第２の包装体１１の側壁部１１b、側壁底部１１cは、折り曲げることができる。そこで、面ファスナーをはずして各側壁部を外側に倒せば、梱包材１をフラットに展開できる。
【００２３】
しかし、第１の包装体１０の側壁部１０bと第２の包装体１１の側壁部１１bは、立設しているときと外側に倒したときで、重なり方がズレる。
図４は、第１の包装体１０と第２の包装体１１の連結部分の断面を表した図面であるが、側壁部１０bと１１bが立設した状態では、ボルト１３がスリット１２内に位置するように重なっている（図４(a)）。一方、側壁部１０bと１１bを倒すと、ボルト１３とスリット１２の位置が、第１の包装体１０の厚さだけズレる（図４(b)）。そのため、ボルト１３がスリット１２に引っ掛かってしまい、梱包材１を展開することができない。
【００２４】
そこで、梱包材１を展開する際には、図１(b)のように、ボルト１３をスリット１２の逃がし孔１４の位置まで移動させる。そうすると、側壁部１０bと側壁部１１bを外側に倒した際にボルト１３が逃がし孔１４に進入して上述のズレを吸収するので、ボルト１３がスリット１２に引っ掛かることなく、梱包材１をフラットに展開することができる。図５は、上記の手順で梱包材１をフラットに展開した状態を表した図面である。
【００２５】
このようして、第１の包装体１０と第２の包装体１１を連結した状態のまま梱包材１をフラットに展開することができ、また、後に別の物品を梱包する際には、側壁部１０b及び１１bを折り曲げて立設させるだけで、容易に梱包材１を組み立てることができる。
【００２６】
また、第１の包装体ではなく、第２の包装体にスリットを設ける構成としても良い。その場合は、図６に示す梱包材２のように、逃がし孔１４をスリット１２の底面方向に突出して形成し、そこにボルト１３を移動させることで、梱包材をフラットに展開できるようになる。
【符号の説明】
【００２７】
１…梱包材
１０…第1の包装体
１０a…底面部
１０b…側壁部
１０c…側壁底部
１０d…延出部
１１…第2の包装体
１１a…底面部
１１b…側壁部
１１c…側壁底部
１１d…延出部
１２…スリット
１３…ボルト
１４…逃がし孔
２０a、２０b…流し台
２１…紐
【図１】
0003182405.tif 000003
【図２】
0003182405.tif 000004
【図３】
0003182405.tif 000005
【図４】
0003182405.tif 000006
【図５】
0003182405.tif 000007
【図６】
0003182405.tif 000008